(57)【要約】【課題】ケーブルに足等が引っ掛かるのを防ぐとともにケーブルの断線を防ぐことのできる寝具用振動発生装置を提供する。【解決手段】ベッド台Ａ及びマットレスＢの上に載置されるベッドパッド１と、音楽等の音声信号を再生する音響ユニットと接続されて音響ユニットからの信号を受けて人の可聴領域における低周波数帯の振動を発生する一乃至複数の振動子、及びベッドパッド１に取り付けられて内部に振動子を収納するカバー２１から成る振動ユニット２とから構成され、振動ユニット２は、振動子と音響ユニットとを接続するためのケーブル２０を備え、ベッドパッド１の側面にケーブル２０を保持するための複数のケーブル保持部１３を設けた。【選択図】図１
2010011201.tif 000002
【特許請求の範囲】
【請求項１】
ベッド台の上に載置されるベッドパッドと、外部の機器と接続されるとともに外部の機器からの信号を受けて人の可聴領域における低周波数帯の振動を発生する一乃至複数の振動子、及びベッドパッドに取り付けられて内部に振動子を収納するカバーから成る振動ユニットとで構成され、振動ユニットは、振動子と外部の機器とを接続するためのケーブルを備え、ベッドパッドの側面にケーブルを保持するための一乃至複数のケーブル保持部が設けられたことを特徴とする寝具用振動発生装置。
【請求項２】
前記ケーブルは、その少なくとも一部がケーブルの軸と平行な方向を軸として伸縮自在に巻き回されて成ることを特徴とする請求項１記載の寝具用振動発生装置。
【請求項３】
前記振動ユニットは、ケーブルを自動的に巻き回して収納する自動巻き取り機構を備えたことを特徴とする請求項１記載の寝具用振動発生装置。
【請求項４】
前記ベッドパッドには、ケーブルを撓ませた状態で吊持するケーブル固定部が設けられたことを特徴とする請求項１乃至３の何れか１項に記載の寝具用振動発生装置。
【発明の詳細な説明】
【技術分野】
【０００１】
本発明は、寝具に横臥する人に振動を与える寝具用振動発生装置に関する。
【背景技術】
【０００２】
従来から、ベッド台の周辺に音楽等の音声信号を再生する音響ユニットを配置するとともに、該音響ユニットからの音声信号と同期してベッド台に横臥する人に人間の可聴領域における低周波数帯の振動を与える振動ユニットをベッド台に配置することで、ベッド台に横臥する人に音声を聴かせるとともに低周波数帯の振動を体感させる体感音響体が知られており、例えば特許文献１に開示されている。この従来例は、乳児用音響装置であって、乳児を載せるベッドパッドと、ベッドパッドに設置されるベッドパッドよりも充分に小さい寸法から成る音響振動器とから構成され、ＣＤプレーヤーと音響振動器との間を専用アンプを介して接続することで、ＣＤプレーヤーで再生される音声信号に応じた振動を乳児に与えることができるようになっている。
【特許文献１】特開平９−１９１９８４号公報
【発明の開示】
【発明が解決しようとする課題】
【０００３】
しかしながら、上記従来例では、ＣＤプレーヤー及び専用アンプと音響振動器との間を接続するケーブルが床を這うことがあり、足や掃除機等をケーブルに引掛けることで装置に応力がかかって不具合が生じる虞があった。また、ベッド台等の寝具を移動させる際に寝具の足に挟まれてケーブルが断線する虞があった。
【０００４】
本発明は、上記の点に鑑みて為されたもので、ケーブルに足等が引っ掛かるのを防ぐとともにケーブルの断線を防ぐことのできる寝具用振動発生装置を提供することを目的とする。
【課題を解決するための手段】
【０００５】
請求項１の発明は、上記目的を達成するために、ベッド台の上に載置されるベッドパッドと、外部の機器と接続されるとともに外部の機器からの信号を受けて人の可聴領域における低周波数帯の振動を発生する一乃至複数の振動子、及びベッドパッドに取り付けられて内部に振動子を収納するカバーから成る振動ユニットとで構成され、振動ユニットは、振動子と外部の機器とを接続するためのケーブルを備え、ベッドパッドの側面にケーブルを保持するための一乃至複数のケーブル保持部が設けられたことを特徴とする。
【０００６】
請求項２の発明は、請求項１の発明において、ケーブルは、その少なくとも一部がケーブルの軸と平行な方向を軸として伸縮自在に巻き回されて成ることを特徴とする。
【０００７】
請求項３の発明は、請求項１の発明において、振動ユニットは、ケーブルを自動的に巻き回して収納する自動巻き取り機構を備えたことを特徴とする。
【０００８】
請求項４の発明は、請求項１乃至３の何れか１項の発明において、ベッドパッドには、ケーブルを撓ませた状態で吊持するケーブル固定部が設けられたことを特徴とする。
【発明の効果】
【０００９】
請求項１の発明によれば、横臥する人の邪魔にならないベッドパッドの側面にケーブルを沿わせることで、ケーブルが床を這うことがなく、ケーブルに足や掃除機等が引っ掛かるのを防ぐことができる。また、ベッド台等の寝具を移動させる際に寝具の足に挟まれることもなく、ケーブルの断線を防ぐことができる。
【００１０】
請求項２の発明によれば、ケーブルを配線する際にケーブルが弛むのを防ぐことができる。
【００１１】
請求項３の発明によれば、振動ユニットと外部の機器との間の距離に合わせてケーブルを引き伸ばしたり巻き取ったりすることができるので、ケーブルの余長分の弛みを収納するための寝室設計をする必要がなく、寝室を設計する際の制約事項を低減することができる。
【００１２】
請求項４の発明によれば、必要以上に長いケーブルの余長分が垂れて床を這うのを防ぐことができ、ケーブルに足が引っ掛かるのを防ぐことができる。
【発明を実施するための最良の形態】
【００１３】
以下、本発明に係る寝具用振動発生装置の実施形態について図面を用いて説明する。但し、以下の説明では、図２における上下を上下方向、図２における左側をベッドパッド１に横臥する人の頭部側、図２における右側を前記横臥する人の足側と定めるものとする。本実施形態は、図１（ａ）〜（ｃ）に示すように、ベッド台Ａ及びマットレスＢの上に載置されるベッドパッド１と、外部の機器（後述する音響ユニット）と接続されて外部の機器からの信号を受けて人の可聴領域における低周波数帯の振動を発生する一乃至複数の振動子（図示せず）、及びベッドパッド１に取り付けられて内部に振動子を収納するカバー２１から成る振動ユニット２とから構成される。振動ユニット２は、振動子と外部の機器とを接続するためのケーブル２０を備えており、該ケーブル２０は、ベッドパッド１の両側面に設けられた複数（図示では１２個）のケーブル保持部１３によって保持される。
【００１４】
ベッドパッド１は、布製の袋体の内部に例えばウレタンや綿、羊毛等の洗濯可能な素材を収納して成るベッドパッド本体１０と、ベッドパッド本体１０の略全体を覆う外カバー１１とから成る（図３（ａ），（ｂ）参照）。ベッドパッド本体１０の足側には、振動ユニット２をベッドパッド１に着脱自在に取り付けるための袋状の収納部１２が一体に設けられている。収納部１２の足側周縁には、その内部の空間を開放する位置と閉塞する位置との間で移動自在な蓋部１２ａが一体に設けられており、該蓋部１２ａを開放することで振動ユニット２を収納部１２の内部に収納できるようになっている（図１（ａ）参照）。尚、蓋部１２ａ及び収納部１２の外面には、図示しないが前記閉塞位置で蓋部１２ａを収納部１２の外面に固定するための釦等の留め具がそれぞれ設けられている。
【００１５】
外カバー１１は、ベッドパッド本体１０と同様に布製の袋体の内部に例えばウレタンや綿等の洗濯可能な素材を収納して成り、その全周に亘って櫛歯状のエレメント（図示せず）が設けられている。このエレメントは、ベッドパッド本体１０においても全周に亘って設けられており、両エレメントで線ファスナー（図示せず）を構成している。而して、線ファスナーに設けられたスライダ（図示せず）を摺動させることで、外カバー１１をベッドパッド本体１０に着脱自在に取り付けることができる。
【００１６】
ケーブル保持部１３は、図１（ａ）に示すように、ベッドパッド本体１０の同図における左側面及び右側面においてそれぞれ横臥する人の頭側から足側に亘って等間隔に６つずつ設けられている。各ケーブル保持部１３は、例えばマジックテープ（登録商標）等の面ファスナーで長尺帯状に構成されている。而して、一端部を他端側から剥がした状態でケーブル２０の周部を覆うように巻き付け（図１（ｂ）参照）、該一端部を他端側に貼り付けることでケーブル２０を保持することができるようになっている（図１（ｃ）参照）。
【００１７】
振動ユニット２は、略平板状のカバー２１の内部に一乃至複数の振動子を取り付けた基板（図示せず）を収納して成る。各振動子にはリード線（図示せず）が接続されており、これらリード線を束ねた１本のケーブル２０の一端部をカバー２１に貫設された挿通孔（図示せず）を介して外部に取り出している。尚、ケーブル２０の前記一端部にはコネクタ２０ａが取り付けられており、該コネクタ２０ａを後述する音響ユニットの接続端子部３に接続することで音響ユニットからの信号を振動子に与えるようになっている（図２参照）。
【００１８】
ベッド台Ａの頭部側には、図２に示すように、上下方向に長尺な略平板状のヘッドボードＡ１が設けられている。ヘッドボードＡ１には、音楽等の音声信号を再生する音響ユニット（図示せず）と振動ユニット２の振動子とを接続するための接続端子部３が配設されている。音響ユニットは、例えばＣＤプレーヤー等のコンテンツ再生装置（図示せず）と、コンテンツ再生装置からの音声信号を増幅するアンプ（図示せず）と、増幅された音声信号を再生する一対のスピーカー（図示せず）とから構成される。一対のスピーカーは、ベッド台Ａに横臥する人に音楽を聴かせるように横臥する人の頭部の右側及び左側にそれぞれ配置される。
【００１９】
ここで、アンプは、人間の可聴領域における高周波数帯の音声信号を増幅するスピーカー用アンプと、人間の可聴領域における低周波数帯の音声信号を増幅する振動ユニット用アンプとから成る。このため、コンテンツ再生装置からの音声信号の高周波数帯をスピーカー用アンプで増幅してスピーカーで再生するとともに、音声信号の低周波数帯を振動ユニット用アンプで増幅して振動ユニット２で再生するようになっている。而して、高音域の音を横臥する人の耳で聴かせるとともに、耳では聴き取り難い低音域の音を振動によって体感させることで、横臥する人を睡眠状態に誘導する、或いは横臥する人の心身をリラックスさせる等の効果を奏することができる。尚、本実施形態ではヘッドボードＡ１に音響ユニットの接続端子部３のみを内蔵しているが、上記音響ユニットをヘッドボードＡ１に内蔵した構成であっても構わない。
【００２０】
以下、本実施形態のケーブル２０の配線方法について図面を用いて説明する。先ず、振動ユニット２をベッドパッド本体１０の収納部１２に収納し、ケーブル２０を外部に引き出す。次に、図１（ａ）に示すように、ケーブル２０をベッドパッド本体１０の同図における左側面に沿わせ、足側から頭部側に向かって順次ケーブル保持部１３をケーブル２０に巻き付け、ケーブル２０を保持する。最後に、コネクタ２０ａをヘッドボードＡ１の接続端子部３に接続する。勿論、ケーブル２０をベッドパッド本体１０の同図における右側面に沿わせてケーブル２０を保持させても構わない。
【００２１】
上述のように、横臥する人の邪魔にならないベッドパッド１の側面にケーブル２０を沿わせて配線することで、ケーブル２０が床を這うことがなく、ケーブル２０に足や掃除機等が引っ掛かるのを防ぐことができる。このため、ケーブル２０に足や掃除機等が引っ掛かることでコネクタ２０ａが接続端子部３から外れたり、振動ユニット２の振動子に応力がかかったりする等の不具合が生じるのを防ぐことができる。
【００２２】
また、不特定多数の客が宿泊するホテル等の宿泊施設では、シーツを交換する作業の際にベッド台Ａを移動させることがあるが、ベッド台Ａを移動させる際にベッド台Ａの足にケーブル２０が挟まれることもなく、ケーブル２０の断線を防ぐことができる。更に、ケーブル２０を横臥する人の邪魔にならないベッドパッド１の側面に沿わせているため、ベッドパッド１の下側にケーブル２０を配線する場合のように就寝時の違和感が生じることがない。
【００２３】
ところで、上述のようにシーツを交換するためにベッド台Ａを移動させた時、シーツを交換し易いようにベッド台ＡとヘッドボードＡ１との間に入り込んで交換作業を行う場合がある。この場合、ケーブル２０が必要以上に長いとその余長分が垂れて床を這い、足を引っ掛けてしまう虞がある。そこで、本実施形態では、図４（ａ），（ｂ）に示すようにケーブル２０を撓ませた状態で吊持するケーブル固定部１４をベッドパッド１の頭側に設けている。ケーブル固定部１４は、例えばゴム等の弾性を有する材料から長尺帯状に形成され、一端部がベッドパッド１に固定されている。また、他端部がケーブル保持部１３と同様にマジックテープ（登録商標）等の面ファスナーから成る。而して、ケーブル２０の途中で輪を作るとともに、インシュロック１４ａを取り付けることでその輪を保持し、ケーブル固定部１４の他端部を輪に巻き付けることでケーブル２０を吊持するようになっている。このように構成することで、ベッド台Ａを移動させた場合に必要以上に長いケーブル２０の余長分が垂れて床を這うのを防ぐことができ、ケーブル２０に足が引っ掛かるのを防ぐことができる。
【００２４】
尚、図５（ａ）に示すように、ケーブル２０の少なくとも一部をケーブル２０の軸と平行な方向を軸として伸縮自在にコイル状に巻き回して成る、所謂カールケーブルに構成しても構わない。このように構成することで、ケーブル２０を配線する際にケーブル２０が弛むのを防ぐことができる。
【００２５】
また、図５（ｂ）に示すように、振動ユニット２に自動巻き取り機構である自動巻き取りリール２２を設け、ケーブル２０を自動的に巻き回して収納する構成にしても構わない。このように構成することで、振動ユニット２と接続端子部３との間の距離に合わせてケーブル２０を引き伸ばしたり巻き取ったりすることができるので、ケーブル２０の余長分の弛みを収納するための寝室設計をする必要がなく、寝室を設計する際の制約事項を低減することができる。尚、このような自動巻き取りリール２２は周知の技術であるので、ここでは詳細な説明は省略するものとする。
【図面の簡単な説明】
【００２６】
【図１】本発明に係る寝具用振動発生装置の実施形態を示す図で、（ａ）は概略図で、（ｂ）はケーブルを保持する前の状態を示す一部拡大図で、（ｃ）はケーブルを保持した状態を示す一部拡大図である。
【図２】同上の全体概略図である。
【図３】同上の外カバーを示す図で、（ａ）は外カバーを閉じた状態を示す斜視図で、（ｂ）は外カバーを開いた状態を示す斜視図である。
【図４】同上のケーブル固定部の説明図で、（ａ）は概略図で、（ｂ）は要部拡大図である。
【図５】（ａ）は同上のケーブルをカールケーブルとした場合を示す拡大図で、（ｂ）は同上の自動巻き取りリールを示す拡大図である。
【符号の説明】
【００２７】
１  ベッドパッド
１０  ベッドパッド本体
１１  外カバー
１２  収納部
１２ａ  蓋部
１３  ケーブル保持部
１４  ケーブル固定部
２  振動ユニット
２０  ケーブル
２１  カバー
２２  自動巻き取りリール（自動巻き取り機構）
Ａ  ベッド台
Ａ１  ヘッドボード
Ｂ  マットレス
【図１】
2010011201.tif 000003
【図２】
2010011201.tif 000004
【図３】
2010011201.tif 000005
【図４】
2010011201.tif 000006
【図５】
2010011201.tif 000007